【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
光学系内の調光レンズを調整する方法であって、
光学系内に調光レンズを提供することと、
紫外線を発生させる紫外光源を提供することと、
屈折変化域にわたって前記調光レンズの屈折を変えることによって前記光学系の屈折度数を変えるために中心波長を用いて且つ空間放射照度プロファイルを用いて前記調光レンズ上に、光送達システムにより、前記発生した紫外線を照射することと、それによって
前記光学系の前記屈折度数の変化と前記調光レンズの前記屈折変化域の半径の二乗との積の半分として定義される、波面の弛みを、紫外スペクトルにわたって前記波面の弛みの最大の１０％以内にすることと
を含む方法。
【請求項２】
前記光学系が人間の眼であり、
前記調光レンズが、人間の眼内に埋込まれる眼内レンズであり、
前記照射は、人間の眼の近視度数、遠視度数、非点収差、球面収差及び高次収差のうちの少なくとも１つを調整するために前記屈折度数を変えるように前記調光レンズに照射することを含む、
請求項１に記載の方法。
【請求項３】
前記紫外光源及び前記光送達システムが、３７０ｎｍ〜３９０ｎｍの範囲の中心波長を有する紫外線を用いて前記調光レンズに照射するように構成される、
請求項１に記載の方法。
【請求項４】
前記紫外光源及び前記光送達システムが、３７４ｎｍ〜３８２ｎｍの範囲の中心波長を有する紫外線を用いて前記調光レンズに照射するように構成される、
請求項１に記載の方法。
【請求項５】
前記紫外光源及び前記光送達システムが、１０ｎｍではない半値全幅スペクトル帯域幅を有する紫外線を用いて前記調光レンズに照射するように構成される、
請求項１に記載の方法。
【請求項６】
前記紫外光源及び前記光送達システムが、２ｎｍ〜８ｎｍの範囲の半値全幅スペクトル帯域幅を有する紫外線を用いて前記調光レンズに照射するように構成される、
請求項５に記載の方法。
【請求項７】
前記照射が、
前記紫外光源のスペクトルの最大値の２０％及び中心波長よりも長い波長における、前記紫外光源のスペクトルの範囲を、前記紫外光源のスペクトルの最大値の２０％、前記中心波長よりも短い波長における、前記紫外光源のスペクトルの範囲の２倍未満にするように、前記光送達システムにおけるバンドパスフィルタによってフィルタリングされた紫外線によって前記調光レンズに照射することを含む、
請求項１に記載の方法。
【請求項８】
前記照射が、
前記中心波長を用いて且つ前記空間放射照度プロファイルを用いて前記調光レンズ上に前記光送達システムにより前記紫外光源の紫外線を照射することと、それによって
前記波面の弛みを紫外スペクトルにわたって前記波面の弛みの最大の５％以内にすることを含む、
請求項１に記載の方法。
【請求項９】
前記照射が、
前記調光レンズの前記屈折変化域の半径を前記光学系の動作開口の半径よりも大きくするように前記調光レンズに照射することを含む、
請求項１に記載の方法。
【請求項１０】
前記調光レンズは、前記調光レンズの大部分において０重量％〜０．０５重量％の範囲内の濃度で紫外線吸収剤を含む、
請求項１に記載の方法。
【請求項１１】
前記調光レンズが、前記調光レンズの大部分において０．０３重量％〜０．０４重量％の範囲内の濃度で紫外線吸収剤を含む、
請求項１０に記載の方法。
【請求項１２】
前記方法が、さらに、
前記照射によって重合されなかった光重合マクロマーに閉じ込め照射を適用することによって前記調光レンズを閉じ込めること、を含み、
前記調光レンズが、第１のポリマーマトリックスにおいて光重合性マクロマーを含み、
前記照射が、前記調光レンズの屈折度数の変化を引き起すために前記光重合性マクロマーの一部を光重合させる、
請求項１に記載の方法。
【請求項１３】
前記調光レンズを提供することが、
人間の網膜の露出限界未満まで、前記調光レンズを経由して透過した、前記閉じ込め照射の透過部分の放射照度を低減するのに十分に高い光学濃度を有する紫外線吸収背面層を備えた前記調光レンズを提供することを含む、
請求項１２に記載の方法。
【請求項１４】
前記調光レンズを提供することが、
人間の網膜の露出限界の１０分の１未満まで前記閉じ込め照射の透過部分の放射照度を低減するのに十分に高い光学濃度を有する紫外線吸収背面層を備えた前記調光レンズを提供することを含む、
請求項１３に記載の方法。
【請求項１５】
前記調光レンズを提供することが、
前記閉じ込めによって重合されなかった、前記紫外線吸収背面層内のマクロマーが０．２Ｄを超えて前記調光レンズの前記屈折度数の後続変化を引き起すことができないように十分に薄い紫外線吸収背面層を備えた前記調光レンズを提供することを含む、
請求項１３に記載の方法。
【請求項１６】
前記調光レンズを提供することが、
１００ミクロン未満の厚さを有する紫外線吸収背面層を備えた前記調光レンズを提供することを含む、
請求項１に記載の方法。
【請求項１７】
前記調光レンズを提供することが、
３０〜７０ミクロンの範囲内の厚さを有する紫外線吸収背面層を備えた前記調光レンズを提供することを含む、
請求項１に記載の方法。
【請求項１８】
前記調光レンズを提供することが、
レンズ入射紫外線の放射照度に対する前記紫外線のレンズ透過部分の放射照度の割合が０．１％未満である程度に十分に高い光学濃度を有する紫外線吸収背面層を備えた前記調光レンズを提供することを含む、
請求項１に記載の方法。
【請求項１９】
前記調光レンズを提供することが、
レンズ入射紫外線の放射照度に対する前記紫外線のレンズ透過部分の放射照度の割合が０．０２％未満である程度に十分に厚い紫外線吸収背面層を備えた前記調光レンズを提供することを含む、
請求項１８に記載の方法。
【請求項２０】
前記照射が、
１ｍＷ／ｃｍ2〜５０ｍＷ／ｃｍ2の範囲内の平均放射照度を有する紫外線を用いて前記調光レンズに照射することを含む、
請求項１に記載の方法。
【請求項２１】
６ｍＷ／ｃｍ2〜１８ｍＷ／ｃｍ2の範囲内の平均放射照度を有する紫外線を用いて前記調光レンズに照射する、
請求項２０に記載の方法。
【請求項２２】
前記照射が、
（−２Ｄ、＋２Ｄ）の範囲内で前記光学系の前記屈折度数を変えるために、中心波長を用いて且つ空間放射照度プロファイルを用いて前記紫外光源から紫外線を前記調光レンズに照射することを含む、
請求項１に記載の方法。
【請求項２３】
前記照射が、
４．５ｍｍ〜６ｍｍの範囲内の半径を有する屈折変化域における前記調光レンズの屈折を変えることによって前記調光レンズの屈折度数を変えるために、中心波長を用いて且つ空間放射照度プロファイルを用いて、前記紫外光源から紫外線を前記調光レンズに照射することを含む、
請求項１に記載の方法。
【請求項２４】
前記紫外光源を提供することが、
連続波発光ダイオード及びパルス発光ダイオードのうちの１つを提供することを含む、
請求項１に記載の方法。
【請求項２５】
前記照射が、
デジタルミラーデバイスから前記紫外線を反射させることによって前記紫外線の前記空間放射照度プロファイルを生成することを含む、
請求項１に記載の方法。
【請求項２６】
前記照射が、
液晶空間光変調器を通して紫外線を投影することによって前記紫外線の前記空間放射照度プロファイルを生成することを含む、
請求項１に記載の方法。
【請求項２７】
前記照射が、
前記空間放射照度プロファイルを用いて前記調光レンズに照射することを含み、
前記空間放射照度プロファイルが、光フィードバックによって得られた情報を使用して決定される、
請求項１に記載の方法。
【請求項２８】
前記調光レンズに照射する前に前記光学系の屈折力及び収差のうちの少なくとも１つを測定することを含む、
請求項１に記載の方法。
【請求項２９】
紫外線を発生させる紫外光源と、
屈折変化域における調光レンズの屈折を変えることによって前記調光レンズの屈折度数を変えるために中心波長を用いて且つ空間放射照度プロファイルを用いて、光学系内の調光レンズ上に前記発生した紫外線を照射し、
前記屈折度数の変化と前記屈折変化域の半径の二乗との積の半分として定義される、波面の弛みを、紫外スペクトルにわたって前記波面の弛みの最大の１０％以内にする、光送達システムと、
を備える、レンズ調整システム。
【請求項３０】
第１のポリマーマトリックスと、
前記第１のポリマーマトリックス内に分散された、光重合性末端基を有するマクロマー及び
光開始剤
を含む屈折調節組成物と、
前記第１のポリマーマトリックス内に分散された、第１の濃度において第１の吸収係数を有する第１の紫外線吸収剤と、
背面層厚さを有する調光レンズの背面とともに形成された、背面層であって、
第２の濃度において第２の吸収係数を有する第２の紫外線吸収剤
を含む背面層と、
を備え、
前記第１の吸収係数、前記第１の濃度、前記第２の吸収係数、第２の濃度及び前記背面層厚さは、前記調光レンズの前面上に入射する紫外線の放射照度に対する前記背面層を通って前記調光レンズを経由して透過した紫外線の放射照度の割合が０．１％未満であるように選択される、調光レンズ。
【手続補正２】
【補正対象書類名】図面
【補正対象項目名】全図
【補正方法】変更
【補正の内容】
【図１】
2018519855.tif 000001
【図２】
2018519855.tif 000002
【図３】
2018519855.tif 000003
【図４Ａ】
2018519855.tif 000004
【図４Ｂ】
2018519855.tif 000005
【図５Ａ−Ｄ】
2018519855.tif 000006
【図６】
2018519855.tif 000007
【図７Ａ】
2018519855.tif 000008
【図７Ｂ】
2018519855.tif 000009
【図８Ａ】
2018519855.tif 000010
【図８Ｂ】
2018519855.tif 000011
【図９】
2018519855.tif 000012
【図１０Ａ−Ｂ】
2018519855.tif 000013
【図１１】
2018519855.tif 000014